(57)【要約】【課題】トラフと振動装置とが不完全な状態で装着されることによる種々のトラブルを解消することを課題とする。【解決手段】物品を搬送するトラフと、該トラフを振動させる振動装置と、これらを着脱自在に連結する連結部とを備える。連結部は、トラフの下端部に固定される第１プレートと、振動装置の振動上端部に固定され、周縁が第１プレートの周縁と上下に重なり合う形状の第２プレートと、第１プレートと第２プレートの各周縁を上下に重ね合わせた状態でそれらの周縁を側方と上下方向から加圧する巻き締めバンドとを有する。第１プレートと第２プレートの各々には、それらを位置ズレのない状態で重ね合わせる位置決め部材が設けられ、巻き締めバンドの内周縁は、各プレートが位置ズレのない状態で上下に重なり合った場合にのみ、各プレートの周縁を上下から押さえることのできる幅に設定される。【選択図】図１
2017026339.tif 000002
【特許請求の範囲】
【請求項１】
物品を搬送するトラフと、該トラフを振動させて前記物品を搬送させる振動装置と、前記トラフと前記振動装置とを着脱自在に連結する連結部とを備え、
前記連結部は、前記トラフの下端部に固定される第１プレートと、
前記振動装置の振動上端部に固定され、周縁が前記第１プレートの周縁と上下に重なり合う形状の第２プレートと、
前記第１プレートと前記第２プレートのそれぞれの周縁を上下に重ね合わせた状態でそれらの周縁を側方から締め付けて上下から加圧する巻き締めバンドとを有し、
前記第１プレートと前記第２プレートの各々には、それらを位置ズレのない状態で重ね合わせる位置決め部材が設けられ、
前記巻き締めバンドは、前記各プレートが位置ズレのない状態で、前記各プレートの周縁を上下から押さえることのできる内周縁を有することを特徴とする搬送装置。
【請求項２】
前記巻き締めバンドの内周縁は、前記各プレートが位置ズレのない状態で上下に重ねられた場合にのみ、前記各プレートの周縁を上下から押さえることのできる幅に設定されていることを特徴とする請求項１に記載の搬送装置。
【請求項３】
前記位置決め部材は、一方のプレートに取り付けた突起と、他方のプレートに形成された、前記突起が嵌り込む孔又は切り欠きとを、各プレートに複数配置したものである請求項１又は２に記載の搬送装置。
【請求項４】
前記巻き締めバンドは、前記プレートの周縁に沿った形状の左右の抱き締め部と、それらの両端部をそれぞれ連結する一対の連結部とを備え、前記左右の抱き締め部は、横断面が内側に向けてＶ字状に開いた形状に形成され、一方の連結部は、両抱き締め部の一方の端部同士をボルトとナットで連結した構成であり、他方の連結部は、両抱き締め部の他方の端部同士をトグル機構で連結した構成である請求項１又は２に記載の搬送装置。
【請求項５】
供給された物品を個別に搬送する複数の搬送装置と、各搬送装置から排出された物品を受け取って個別に計量する複数の計量ホッパとを備えた組合せ計量装置であって、前記搬送装置として、請求項１から４の何れかに記載の搬送装置を使用し、それらの搬送装置を横並びに、あるいは、放射状に近接配置するとともに、隣接する搬送装置の一方のトラフ側壁を他方のトラフ側壁上に非接触にオーバーラップさせて、各搬送装置のトラフ間を連鎖状態にしたことを特徴とする組合せ計量装置。  
【発明の詳細な説明】
【技術分野】
【０００１】
本発明は、物品を搬送する搬送装置とそれを備えた組合せ計量装置に関する。
【背景技術】
【０００２】
振動トラフに加工食品を供給して搬送するタイプの搬送装置では、加工食品と接するトラフ部分は、日々洗浄して使うため、従来の搬送装置では、こうしたトラフ部分は、振動を付与する駆動部から簡単に脱着できるように構成されている。
【０００３】
下記特許文献に記載の発明は、そうした搬送装置の一例を示したものである。これらの搬送装置では、トラフと駆動部との着脱を容易にするためと、連結時にそれらの結合を強固なものにするために、トラフと駆動部との連結部分に、周縁を一致させた円形又は楕円形のプレートをそれぞれ取り付け、それらのプレートを上下に重ね合わせた状態で、それらのプレートの周縁に巻き締めバンドを巻きつけて締め付けることにより、上下方向から各プレートを圧着させて駆動部の振動をトラフに伝達するようにしている。
【先行技術文献】
【特許文献】
【０００４】
【特許文献１】特開平７−２８５６３７号公報
【特許文献２】特開２００５−１１９８１９号公報
【発明の概要】
【発明が解決しようとする課題】
【０００５】
ところが、特許文献１の連結部分は、上下のプレートと巻き締めバンドの三者を同時に位置決めする必要があったので、巻き締めバンドが装着できないときに、どれが位置ズレを起しているのか、直ぐには判断できない問題があった。これに対し、特許文献２の連結部分は、上下のプレートと巻き締めバンドとを楕円形に成形したので、上下のプレートがずれていれば、手で触るだけで直ちに判断できるメリットがある。しかし、上下のプレートが多少ずれていても、それらに巻き締めバンドを装着することができたし、さらに、上下のプレートを合わせていても、巻き締めバンドを締め付けるときに、締め付けレバーに掛かる回転トルクで上下のプレートがずれてしまうことがあったので、中途半端なまま駆動部が駆動されと、駆動部の振動がトラフに十分伝達されなかったり、異常な騒音が出たりする問題があった。
【０００６】
また、こうした搬送装置を複数使用した組合せ計量装置においては、各搬送装置のトラフを近接させるとともに、隣接する一方のトラフの側壁を他方のトラフの側壁上に非接触にオーバーラップさせて、各トラフ間を連鎖状態にするが、トラフの駆動部への取り付けが不完全であると、隣接するトラフ同士が接触して騒音を発したり、正常なトラフとの間に想定外の隙間が生じ、そこから物品が零れたりする問題があった。
本発明は、こうした問題を生じさせない新たな搬送装置と、それを備えた組合せ計量装置とを提供することを課題とする。
【課題を解決するための手段】
【０００７】
本発明に係る搬送装置は、物品を搬送するトラフと、該トラフを振動させて前記物品を搬送させる振動装置と、前記トラフと前記振動装置とを着脱自在に連結する連結部とを備え、
前記連結部は、前記トラフの下端部に固定される第１プレートと、
前記振動装置の振動上端部に固定され、周縁が前記第１プレートの周縁と上下に重なり合う形状の第２プレートと、
前記第１プレートと前記第２プレートのそれぞれの周縁を上下に重ね合わせた状態でそれらの周縁を側方から締め付けて上下から加圧する巻き締めバンドとを有し、
前記第１プレートと前記第２プレートの各々には、それらを位置ズレのない状態で重ね合わせる位置決め部材が設けられ、
前記巻き締めバンドは、前記各プレートが位置ズレのない状態で、前記各プレートの周縁を上下から押さえることのできる内周縁を有することを特徴とする。
【０００８】
位置決め部材は、一方のプレートに取り付けた突起と、他方のプレートに形成された、前記突起が嵌り込む孔又は切り欠きとを、各プレートに複数配置することにより構成される。したがって、一方のプレートに突起だけを複数配置し、他方のプレートに孔又は切り欠きを同数配置しても良いし、各プレートに突起と、孔又は切り欠きとを混在させた状態で複数配置しても良い。
【０００９】
上下に重ねられたプレートがずれると、突起が孔や切り欠きに嵌らずに上下のプレート間に介在するから、その突起の高さ分だけ上側の第１プレートが下側の第２プレートから浮き上がる。その状態で巻き締めバンドを上下のプレート周縁に巻き付けても、巻き締めバンドの内周縁は、上下のプレート周縁に掛からない幅に、すなわち、それらの周縁を上下から挟み込むことのできない幅に設定されている。また、突起の高さも、巻き締めバンドが装着できない高さに設定されている。したがって、例えば、重ねた状態の第１・第２プレートの周縁の厚みが４ｍｍで、巻き締めバンドの内周縁の内々幅が７ｍｍであったとすると、突起の高さが少なくとも３ｍｍを超える高さに設定されていれば、上下のプレートが位置ズレを起こしたときは、巻き締めバンドが上下のプレートに掛からなくなる。
【００１０】
特許文献１の搬送装置では、上下のプレートと巻き締めバンドの三者が同時に位置決めされないと、巻き締めバンドの装着ができなかったので、位置決めされていないのは、プレートなのか、巻き締めバンドなのか、直ちには判断できなかった。また、特許文献２の搬送装置では、上下のプレートが多少ずれていても、巻き締めバンドを装着することができたので、そのまま駆動して、後から位置ズレに気付くことがあった。これに対し、本発明では、上下のプレートが位置ズレを起していれば、巻き締めバンドが全く装着できないので、それが装着できた否かで、トラフの設置位置が正常であるか否かを即座に判断することができる。
【００１１】
各突起とそれらが嵌り込む孔又は切り欠きは、離れた位置であれば、各プレートのどこに設けても良いが、トラフを搬送方向側（以下、この方向を前後方向とし、それと直交する方向を左右方向とする。）から取り付ける場合は、プレート周縁の前側と後側に設けておくのが良い。それは、巻き締めバンドを締め付けるときに、バンドに回転トルクが発生するが、それを効果的に抑えることができるからである。また、周縁に設ける場合は、孔よりも切り欠きの方が好ましい。切り欠きにすると、その開放部分が前側から視認できるので、突起の切り欠きへの嵌合作業がし易くなる。
【００１２】
巻き締めバンドは、各プレートの周縁に沿った形状の左右の抱き締め部と、それらの両端部をそれぞれ連結する一対の連結部とを備えている。左右の抱き締め部は、横断面が内側に向けてＶ字状に開いた形状に形成され、一方の連結部は、両抱き締め部の一方の端部同士をボルトとナットで連結した構成であり、他方の連結部は、両抱き締め部の他方の端部同士をトグル機構で連結した構成である。このトグル機構を操作すると、両抱き締め部の端部間の距離が近接離反するから、トグル機構を効かせることにより、それらを近接状態でロックすることができる。
【００１３】
使用に際しては、巻き締めバンドのリング内にトラフ側の第１プレートを挿入して巻き締めバンドを緩めた状態で該プレートの上方に退避させておく。その状態でトラフ側の第１プレートを振動装置側の第２プレート上に乗せ、位置決め部材の突起を孔又は切欠きに嵌めこんで位置決めする。すると、各プレートの周縁は、上下に重なり合った状態で密着するから、退避させた巻き締めバンドをその周縁に巻き付ける。その状態では、巻き締めバンドの内周縁が重なった各プレート周縁の上下に側方から被さるから、トグル機構を操作して巻き締めバンドを締め付けると、巻き締めバンドの抱き締め部が各プレートの周縁を上下方向から押さえてこれらを圧着させる。これにより、トラフの振動装置への装着が完了する。
【００１４】
また、本発明に係る組合せ計量装置は、供給された物品を個別に搬送する複数の搬送装置と、各搬送装置から排出された物品を受け取って個別に計量する複数の計量ホッパとを備え、前記搬送装置として、前述の搬送装置を使用し、それらの搬送装置を横並びに、あるいは、放射状に近接配置するとともに、隣接する搬送装置の一方のトラフ側壁を他方のトラフ側壁上に非接触にオーバーラップさせて、各搬送装置のトラフ間を連鎖状態にしたことを特徴とする。
【００１５】
これにより、清掃や洗浄のためにトラフが取り外されても、巻き締めバンドを装着することができれば、トラフの所定位置での設置が確保されるから、トラフが位置ズレを起こして、隣接するトラフと接触することがなく、常に正常な状態での使用を確保することができる。
【発明の効果】
【００１６】
本発明によれば、上下のプレートに位置決め部材を設けたので、洗浄のためにトラフの着脱が繰り返されても、トラフの取り付けが極めて簡単にできる。しかも、上下のプレートがズレた状態で上下に重なっていれば、巻き締めバンドは装着できないから、それが装着できたか否かで、正常な運転ができるか否かを直ちに判断することができる。したがって、中途半端な設置で運転が開始され、後から運転を中断せざるを得ないような事態を回避することができる。
【００１７】
また、上下のプレートに複数配置された突起と、各突起が嵌り込む同数の孔又は切り欠きとで位置決め部材を構成したので、これらの突起を、孔又は切り欠きに差し込むだけで上下のプレートが正確に位置決めされるから、トラフの振動装置への着脱操作を楽に行うことができる。
【００１８】
また、本発明に係る組合せ計量装置によれば、洗浄のためにトラフを繰り返し取り外しても、巻き締めバンドが装着できれば、隣接するトラフ間の隙間や側壁のオーバーラップが正常な状態に確保されるから、トラフの装着ミスによる騒音や隙間からの物品漏出、それらを手直しするための一時停止等を回避することができる。
【図面の簡単な説明】
【００１９】
【図１】本発明の一実施形態に係る搬送装置を上下に分離させた状態の外観斜視図。
【図２】巻き締めバンドの裏返し状態の外観斜視図。
【図３】巻き締めバンドで上下のプレートを抱き締めた状態の図２のＸ−Ｘ断面図。
【図４】巻き締めバンドで上下のプレートを抱き締めた状態の図２のＹ−Ｙ断面図。
【図５】本発明の一実施形態に係る組合せ計量装置の外観斜視図。
【発明を実施するための形態】
【００２０】
以下、図１〜図５を参照しながら、本発明の一実施形態について説明する。なお、以下の実施形態は、本発明の技術的範囲を限定するものではない。
【００２１】
図１は、一実施形態としての搬送装置の要部を上下に分離させた状態の外観斜視図を示す。この図において、搬送装置１は、供給された物品を搬送するトラフ１０と、該トラフ１０に振動を付与して、トラフ１０に供給された物品を移送させる振動装置２０と、前記トラフ１０と振動装置２０とを着脱自在に連結して、振動装置２０の振動をトラフに伝達する連結部３０とを備える。
【００２２】
トラフ１０は、ステンレス材で形成されて、後端部１１に供給された物品を先端部１２へと搬送するもので、搬送装置１が組み込まれる組合せ計量装置のタイプに応じて種々の形状のものがある。例えば、平面視が扇状のタイプは、図１、図５に示すように、トラフ１０の後端部１１から先端部１２に向かって両サイドの側壁１３、１４がＶ字状に広がりながら立ち上がる形状である。このタイプの搬送装置１は、図５に示すような、円形配列の組合せ計量装置Ｗに使用される。また、直線タイプは、トラフ１０の後端部１１から先端部１２に亘って両サイドの側壁１３、１４が略並行に形成されるもので、複数の計量装置が横並びに一直線上に配列される直線型の組合せ計量装置に使用される。
【００２３】
何れのタイプのトラフ１０であっても、その底面には、Ｕ字状の補強部材１５が溶接され、その補強部材１５の底面には、楕円形の皿を伏せた形状の第１プレート３１が溶接されている。この第１プレート３１は、その周縁にフランジ３１１が形成され、そのフランジ３１１の前側（トラフ１０の先端部１２）と後側（トラフ１０の後端部１１）には、下向きに突起３２が取り付けられている。この突起３２は、後述の位置決め部材４０の一方の部材を構成する。
【００２４】
振動装置２０は、前記第１プレート３１が載置される第２プレート３３と、第２プレート３３が固定される支柱２１と、支柱２１に振動を伝達する可動フレーム２２と、可動フレーム２２を揺動可能に支持する４本の板バネ２３と、各板バネ２３の下端部を固定するベースフレーム２４と、ベースフレーム２４の後部に取り付けられたカウンターウエイト２５と、可動フレーム２２の裏側に取り付けられたブロック２６と、ブロック２６と一体化された磁性体からなる可動コア２７と、可動コア２７と所定のギャップをおいて対向配置された電磁石２８と、搬送装置１全体を支持するバネ定数の低い防振スプリング２９とを備えたものである。
【００２５】
第２プレート３３は、楕円形の皿状に形成され、その周縁には、フランジ３３１が形成されている。このフランジ３３１は、第１プレート３１のフランジ３１１と上下に重なり合って密着するように形成され、そのフランジ３３１の突起３２と対向する位置には、切り欠き３４が形成されている。この切り欠き３４と、そこに嵌り込む突起３２とで、第１プレート３１と第２プレート３３とを位置ズレのない状態で重ね合わせるための位置決め部材４０とされている。
【００２６】
連結部３０は、第１プレート３１と、第２プレート３３と、各プレート３１、３３のそれぞれのフランジ３１１、３３１を上下に重ね合わせた状態でそれらのフランジ３１１、３３１を上下から押さえて圧着する巻き締めバンド３５とで構成されている。
【００２７】
巻き締めバンド３５は、図１、図２に示すように、第１・第２プレート３１、３３の各フランジ３１１、３３１に沿った形状の左右の抱き締め部３６、３６と、各抱き締め部３６、３６の端部を連結する前後の連結部３７、３８と、各抱き締め部３６、３６の上面から内側に向けて突出させた合計４つの抜け止め部材３６ａとを備えている。巻き締めバンド３５を使用するときは、左右の抱き締め部３６、３６で囲まれたリング内に第１プレート３１を挿入する。そのとき、抜け止め部材３６ａは、第１プレート３１のフランジ３１１上面に掛かって、そこからの脱落を防止する。
【００２８】
左右の抱き締め部３６、３６は、面対称に形成され、それらの横断面は、図３、図４に示すように、内側に向けてＶ字状に開いた形状に形成され、その内周面に形成された傾斜面が上下の各フランジ３１１、３３１のエッジに当接した状態で、上下の傾斜面が内側に寄ることにより、それらが各フランジ３１１、３３１のエッジを上下方向から圧着するようになっている。また、各抱き締め部３６、３６の後端部３６ｒ、３６ｒは、それぞれが平行に形成され、前端部３６ｆ、３６ｆは、それぞれが斜めに対向して、平面視が「ハ」の字となるように形成されている。
【００２９】
後側の連結部３７は、両抱き締め部３６、３６の後端部３６ｒ、３６ｒ同士をボルト３７ａとナット３７ｂで連結した構成であって、ナット３７ｂの位置を調整すれば、後端部３６ｒ、３６ｒ間の距離が調整できるようになっている。一方、前側の連結部３８は、両抱き締め部３６、３６の前端部３６ｆ、３６ｆ同士を架橋するトグル機構３９で構成されている。また、前後の連結部３７、３８は、巻き締めバンド３５を上下に重ねたプレート３１、３３の周縁に巻き付けるときに、図４に示すように、突起３２と干渉しない位置に設けられている。
【００３０】
トグル機構３９は、レバー３９ａを抱き締め部３５側に倒せば、両側の前端部３６ｆ、３６ｆ間の距離が縮まって、左右の抱き締め部３６、３６が上下プレート３１、３３を抱き締め、レバー３９ａを抱き締め部３６から引き離すように起こせば、両前端部３６ｆ、３６ｆの距離が広がって巻き締めバンド３５が上下プレート３１、３３から離れるようになっている。
【００３１】
巻き締めバンド３５の内周縁は、上下のプレート３１、３３が位置ズレのない状態で上下に重なり合った場合にのみ、各プレート３１、３３のフランジ３１１、３３１の周縁を上下から挟み込む幅ｄ（図３参照）に設定されている。
【００３２】
また、第１プレート３１のフランジ３１１に取り付けられた突起３２の足の長さは、上下に重ねられた第２プレート３３を貫通して、巻き締めバンド３５の下方に突出する長さに設定されている。
【００３３】
図１、図４において、例えば第２プレート３３上に第１プレート３１を載せたときに、突起３２が切り欠き３４に差し込まれずに位置ズレを起こすと、突起３２が上下のプレート３１、３３間に介在して、突起３２の足の長さ分だけ第１プレート３１が第２プレート３３から浮き上がる。その状態で巻き締めバンド３５を各プレート３１、３３の周縁に巻き付けても、巻き締めバンド３５の内周縁は、上下のプレート３１、３３の周縁を上下から挟むことができない幅ｄに設定されている。また、突起３２の足の長さも、上下に重ねられたプレート３１、３３間に隙間ができたときに、その隙間から上下のプレート３１、３３が明らかに位置ズレを起こしていると判断できるような長さに設定されている。
【００３４】
そして、トラフ１０を振動装置２０に取り付けるときは、巻き締めバンド３５のリング内に第１プレート３１を挿入して巻き締めバンド３５を緩めた状態で第１プレート３１の上方に退避させておく。そして、トラフ１０の長手方向を振動装置２０の長手方向に一致させながら、第１プレート３１の前側の突起３２を第２プレート３３の切り欠き３４に差し込めば、後側の突起３２も切り欠き３４に差し込まれて位置決めされる。すると、上下の各フランジ３１１、３３１は、上下に重なり合った状態で密着するから、退避させた巻き締めバンド３５を降ろして、それをフランジ３１１、３３１の周縁に巻き付ける。そして、トグル機構３９を操作してフランジ３１１、３３１の周縁を締め付けた後、ロックすると、巻き締めバンド３５の各抱き締め部３６、３６が各フランジ３１１、３３１のエッジを上下方向から押さえて圧着させる。
【００３５】
トラフ１０を振動装置２０から取り外すときは、まずトグル機構３９を操作して巻き締めバンド３５を緩め、次に巻き締めバンド３５を上下のプレート３１、３３から外して上方に退避させる。その状態でトラフ１０持ち上げれば、振動装置２０から簡単に取り外すことができる。
【００３６】
図５は、図１の搬送装置１が組み込まれた組合せ計量装置Ｗの一実施形態の外観斜視図を示す。この図において、装置中央上部には、円錐形状の分散フィーダＤＦが配置され、そのフィーダＤＦの周縁下方に、前述のトラフ１０の後端部１１を潜り込ませた状態で、各トラフ１０が分散フィーダＤＦの周りに放射状に配列される。勿論、各トラフ１０に対応させて、振動装置２０も放射状に配列される。
【００３７】
このとき、各トラフ１０は、互いに隣接状態で放射状に配列されるので、隣接する一方のトラフ側壁１４を他方のトラフ側壁１３上に非接触状態でオーバーラップさせて、各トラフ１０間を連鎖状態にしている。これにより、大量の物品が分散フィーダＤＦから周囲へ拡散しながら供給されても、各トラフ１０間は、オーバーラップ部分１４ａに覆われて物品が漏出しないようになっている。
【００３８】
また、各トラフ１０の先端下方には、プールホッパＰＨがそれぞれ配置され、その下段には、各プールホッパＰＨに対応させて計量ホッパＷＨが、さらにその下段には、各計量ホッパＷＨから排出された物品を集合させる集合シュートＳが配置されている、
【００３９】
そして、図示しないクロスフィーダによって分散フィーダＤＦ上に供給された大量の物品は、分散フィーダＤＦの間歇的な振動によって放射方向に分散しながら各トラフ１０に供給されていく。このとき、各トラフ１０は、オーバーラップ部分１４ａによって連鎖状態に連なっているから、大量の物品が各トラフ１０に供給されても、それらをオーバーラップ部分１４ａも含めてトラフ１０全体で受け止めるようになっている。
【００４０】
各トラフ１０に供給された物品は、トラフ１０の間歇的な振動により、前端部１２へと順次搬送されてプールホッパＰＨへ排出されていく。そして、組合せ計量が開始され、計量ホッパＷＨに供給された物品の質量に基づいて組合せ演算が実行される。しかし、最初は、各計量ホッパＷＨは、空であるから、各計量ホッパＷＨに対応するプールホッパＰＨが開閉して、計量ホッパＷＨへ物品が供給される。
【００４１】
こうして、各計量ホッパＷＨに物品が供給され、組合せ計量によって最適な組合せが選ばれると、選択された計量ホッパＷＨから物品が排出され、それが集合シュートＳで収集されて一定質量の物品の集合体となる。選択された物品が計量ホッパＷＨから排出されると、その計量ホッパＷＨに対応するプールホッパＰＨが開閉して、計量ホッパＷＨへ物品が供給される。また、物品を排出したプールホッパＰＨには、対応するトラフ１０が所定時間、所定強度で振動して、対応するプールホッパＰＨに物品が供給される。こうした動作が一定サイクルで繰り返されて、一定質量の物品の集合体が集合シュートＳから順次排出されていく。
【００４２】
運転が終了して装置全体を洗浄するときは、外側の各ホッパＷＨ，ＰＨを取り外してから、トラフ１０を外していくが、巻き締めバンド３５は、隣接するトラフ１０間に露出しているから、プールホッパＰＨを取り外さなくても、トラフ１０間に手を差し入れてトグル機構３９を操作すれば、巻き締めバンド３５が弛むようになっている。その状態でトラフ１０を持ち上げて後側の突起３２を切り欠き３４から浮かせ、そのまま手前に引けば、トラフ１０は、振動装置２０から簡単に取り外せるようになっている。また、トラフ１０を取り付けるときは、逆の手順でもって装着する。
【００４３】
以上は、各ホッパＰＨ，ＷＨを円形に配列し、各搬送装置１も放射状に配列した場合の実施形態であったが、各ホッパＰＨ，ＷＨと各搬送装置１とを横並びに一直線上に配列した場合も同様の操作で着脱できる。
また、以上の実施形態では、上下のプレート３１、３３を楕円形としたが、これに代えて、上下のプレートを円形にしても良い。さらに、防水仕様にするときは、水が溜まりやすい皿状とせずに、厚手の円盤状に成形する。そのときは、巻き締めバンド３５の左右の抱き締め部３６、３６は、それぞれ半円状に形成される。
また、突起３２をトラフ側の第１プレート３１に取り付けたが、これに代えて、振動装置２０側の第２プレート３３に上向きに取り付けても良い。そうすれば、取り外されたトラフ１０を第１プレート３１の底面を下にして置く場合に、該プレート３１に突起３２がないから、直置きするトラフ１０の姿勢を安定させることができる。
【符号の説明】
【００４４】
１      搬送装置
１０      トラフ
２０      振動装置
２１      振動上端部（支柱）
３０      連結部
３１      第１プレート
３２      突起
３１１      第１プレートの周縁
３３      第２プレート
３４      切り欠き（孔）
３３１      第２プレートの周縁  
３５      巻き締めバンド
３６      抱き締め部
３６ｒ    一方の端部同士
３６ｆ    他方の端部同士
３７      一方の連結部
３７ａ    ボルト
３７ｂ    ナット
３８      他方の連結部
３９      トグル機構
４０      位置決め部材
ｄ      幅
Ｗ      組合せ計量装置
ＷＨ      計量ホッパ
【図１】
2017026339.tif 000003
【図２】
2017026339.tif 000004
【図３】
2017026339.tif 000005
【図４】
2017026339.tif 000006
【図５】
2017026339.tif 000007